(57)【要約】【課題】厨房装置における収納容積を大きくできる。収納装置に対して作業を行う際に作業者が加熱源の影響を受けるのを防止する。【解決手段】加熱調理装置２の上部に配設された換気装置４の上部に配設される収納手段７と、この収納手段７を建築躯体壁面Ｗとの間に離隔空間１２をあけて取り付ける離隔取付手段１１とを備えた収納装置５を組み込んだ厨房装置１であって、収納手段７に対する作業、もしくはその直前の動作を検出する検出手段３１を設け、検出手段３１からの信号によって加熱調理装置２の複数の加熱源の内少なくとも手前側の加熱源の出力を停止もしくは微弱とするように構成した。【選択図】図１
2007236969.tif 000002
【特許請求の範囲】
【請求項１】
加熱調理装置の上部に配設された換気装置の上部に配設される収納手段と、この収納手段を建築躯体壁面との間に離隔空間をあけて取り付ける離隔取付手段とを備えた収納装置を組み込んだ厨房装置であって、収納手段に対する作業、もしくはその直前の動作を検出する検出手段を設け、検出手段からの信号によって加熱調理装置の複数の加熱源の内少なくとも手前側の加熱源の出力を停止もしくは微弱とするように構成したことを特徴とする収納装置を組み込んだ厨房装置。
【請求項２】
加熱調理装置の上部に配設された換気装置の上部に配設される収納手段と、この収納手段を建築躯体壁面との間に離隔空間をあけて取り付ける離隔取付手段とを備えた収納装置を組み込んだ厨房装置であって、収納手段は、収納キャビネットと、収納ラック体と、収納ラック体を収納キャビネット内に格納した位置と前方下方に引き出した使用位置との間で昇降可能に支持する昇降支持機構とを備え、収納手段の収納ラック体の引き出し操作、もしくはその直前の動作、又は引き出した状態を検出する検出手段を設け、検出手段からの信号によって加熱調理装置の複数の加熱源の内少なくとも手前側の加熱源の出力を停止もしくは微弱とするように構成したことを特徴とする収納装置を組み込んだ厨房装置。
【発明の詳細な説明】
【技術分野】
【０００１】
本発明は、収納装置を組み込んだ厨房装置に関するものである。
【背景技術】
【０００２】
従来、厨房装置としては、図１０に示すように、加熱調理装置５１や流し台５２などを並列配置し、加熱調理装置５１の上方には換気装置５３を配設し、その側部の流し台５２等の上部には各種収納装置５４、５５を配設したものが知られている。
【０００３】
また、それらの収納装置として、例えば特許文献１に開示されているように、収納ラック体５７を収納キャビネット５６内に格納した位置と前方下方に引き出した使用位置との間で昇降可能に構成した昇降式の収納装置５５も知られている。
【特許文献１】特開平７−１４８０３７号公報
【発明の開示】
【発明が解決しようとする課題】
【０００４】
ところが、上記のような従来の厨房装置においては、換気装置５３部分には収納装置が配設されていないため、空間利用効率が悪く、厨房装置における収納容積を十分に大きくとることができないという問題があった。
【０００５】
本発明は、上記従来の問題点に鑑み、厨房装置における収納容積を大きくでき、また、収納装置に対して作業を行う際に作業者が加熱源の影響を受けるのを防止する収納装置を組み込んだ厨房装置を提供することを目的としている。
【課題を解決するための手段】
【０００６】
本発明の収納装置を組み込んだ厨房装置は、加熱調理装置の上部に配設された換気装置の上部に配設される収納手段と、この収納手段を建築躯体壁面との間に離隔空間をあけて取り付ける離隔取付手段とを備えた収納装置を組み込んだ厨房装置であって、収納手段に対する作業、もしくはその直前の動作を検出する検出手段を設け、検出手段からの信号によって加熱調理装置の複数の加熱源の内少なくとも手前側の加熱源の出力を停止もしくは微弱とするように構成したことを特徴とするものであり、収納手段が建築躯体壁面との間に離隔空間をあけて配設されるので、その離隔空間にて換気装置の排気空間が確保され、かつ換気装置の上部に収納手段が配設されることによって収納容積を大きくでき、かつ収納手段は換気装置の上部の前部に位置するため容易に収納・取り出しができ、しかも、収納手段に対する作業、もしくはその直前の動作を検出する検出手段を設け、検出手段からの信号によって加熱調理装置の複数の加熱源の内少なくとも手前側の加熱源の出力を停止もしくは微弱とするように構成すると、収納装置に対して作業を行う際に作業者が加熱源の影響を受けるのを防止することができる。
【０００７】
また、加熱調理装置の上部に配設された換気装置の上部に配設される収納手段と、この収納手段を建築躯体壁面との間に離隔空間をあけて取り付ける離隔取付手段とを備えた収納装置を組み込んだ厨房装置であって、収納手段は、収納キャビネットと、収納ラック体と、収納ラック体を収納キャビネット内に格納した位置と前方下方に引き出した使用位置との間で昇降可能に支持する昇降支持機構とを備え、収納手段の収納ラック体の引き出し操作、もしくはその直前の動作、又は引き出した状態を検出する検出手段を設け、検出手段からの信号によって加熱調理装置の複数の加熱源の内少なくとも手前側の加熱源の出力を停止もしくは微弱とするように構成したことを特徴とするものであってもよく、このものにおいては、収納手段が建築躯体壁面との間に離隔空間をあけて配設されるので、その離隔空間にて換気装置の排気空間が確保され、かつ換気装置の上部に収納手段が配設されることによって収納容積を大きくでき、かつ収納手段は換気装置の上部の前部に位置するため容易に収納・取り出しができ、しかも、換気装置の上部に収納手段を配設しても収納ラック体を前方下方に引き出すことによって、使い勝手良く使用することができ、また、
収納手段の収納ラック体の引き出し操作、もしくはその直前の動作、又は引き出した状態を検出する検出手段を設け、検出手段からの信号によって加熱調理装置の複数の加熱源の内少なくとも手前側の加熱源の出力を停止もしくは微弱とするように構成すると、収納ラック体の引き出し時や引き出した状態で、操作者が加熱源の影響を受けたり、収納物が過熱されたりするのを防止することができる。
【０００８】
ここで、本発明の厨房装置に組み込む収納装置として、換気装置を送風手段とこの送風手段を収納したカバー体とを備えた構成とし、その送風手段からの排気を導出する排気ダクトを離隔空間に配設するのが好適である。
【０００９】
また、収納手段の底面と換気装置上面との間に、不燃材層と空気対流空間を介在させると、不燃材層を設けたことによって換気装置上面と収納手段底面との間隔を小さくすることができ、収納手段の容積を大きくとることができるとともに収納手段が下方に位置することによって収納・取り出しも容易でかつ外観も良くなる。
【００１０】
また、収納手段と離隔空間との間に不燃材層を設けると、離隔空間を換気装置の排気空間として利用する際に、排気空間と収納手段の間に確保すべき空間を小さくでき、その分収納手段を後方に延出できて、収納容積を大きくできる。
【００１１】
また、収納手段の少なくとも後部を構成する部材は全て金属製とすると、耐火性が高く、さらに収納容積を大きくできる。
【００１２】
また、離隔取付手段は、収納手段の両側端近傍位置から建築躯体壁面に向けて延出され、その先端が壁面に取付けられる一対の板状取付部材を備えた構成とすると、収納手段を簡単な構成部材にて建築躯体壁面に離隔空間を確保しながら強固に取付けることができる。また、一対の板状取付部材に代えて、収納手段の適当箇所から建築躯体壁面に向けて延出され、その先端が壁面に取付けられる複数の棒状取付部材を用いてもよい。
【００１３】
また、離隔取付手段を、収納手段とは別体に構成し、収納手段の取付部と、取付部から建築躯体壁面に向けて延出され、その先端が壁面に取付けられる取付部材とから構成すると、収納手段の基本構成を既存のものと同一にすることができ、仕様を共通化してコスト低下を図りながら、多様な展開が可能となる。
【００１４】
また、離隔取付手段を、収納手段とは別体で換気手段のカバー体と一体的に構成することもでき、離隔取付手段を換気装置のカバー体と兼用することで部品点数を少なくできて低コスト化を図ることができる。
【００１５】
また、収納手段と離隔取付手段の何れか一方又は両方に、収納手段の高さ方向の位置調整を行う高さ調整手段を設けると、収納手段の配設時にその荷重が加わる上下方向の位置調整を容易に行うことができる。
【００１６】
また、収納手段と離隔取付手段の両方もしくは何れか一方は、収納手段と離隔取付手段の左右に隣接する壁面もしくは他の収納手段に固定すると、左右に隣接する壁面もしくは他の収納手段が存在する場合にそれを支持体として取付強度を高くすることができる。
【００１７】
また、収納手段の内部から離隔空間に連通する点検口と、取外し自在な点検蓋を設けると、離隔空間に配設された排気ダクト等の点検を収納手段を取り外すことなく、容易に行うことができる。
【００１８】
また、換気装置のカバー体の外面と、収納手段の外面の横断平面形状をほぼ同形状とすると、換気装置と収納手段の外面形状に統一性を持たせることができ、優れた外観を呈する。
【００１９】
また、収納手段もしくは離隔取付手段と換気装置とを相互に連結する連結手段を設けると、前方に張り出す換気装置を収納手段や離隔取付手段にて支持することができ、換気装置の上下寸法を小さく構成しても強度や剛性を確保できる。
【００２０】
また、収納手段の離隔空間側の底部を斜めに切り欠き、その空間を換気装置の配設空間とすると、換気装置における送風手段配設部などの容積の大きい部分をこの空間に配設することにより、換気装置の下部空間を大きく開放することができる。
【発明の効果】
【００２１】
本発明の収納装置を備えた厨房装置によれば、以上の説明から明らかなように、請求項１記載の発明においては、収納手段を建築躯体壁面との間に離隔空間をあけて配設したので、その離隔空間にて換気装置の排気空間を確保でき、かつ換気装置の上部に収納手段を配設したことによって収納容積を大きくでき、かつ収納手段は換気装置の上部の前部に位置するため容易に収納・取り出しができ、また、収納手段に対する作業、もしくはその直前の動作を検出する検出手段を設け、検出手段からの信号によって加熱調理装置の複数の加熱源の内少なくとも手前側の加熱源の出力を停止もしくは微弱とするように構成するので、収納装置に対して作業を行う際に作業者が加熱源の影響を受けるのを防止することができる。
【００２２】
また、請求項２記載の発明においては、収納手段を建築躯体壁面との間に離隔空間をあけて配設したので、その離隔空間にて換気装置の排気空間を確保でき、かつ換気装置の上部に収納手段を配設したことによって収納容積を大きくでき、かつ収納手段は換気装置の上部の前部に位置するため容易に収納・取り出しができ、また、換気装置の上部に収納手段を配設しても収納ラック体を前方下方に引き出すことによって、使い勝手良く使用することができ、しかも、収納手段の収納ラック体の引き出し操作、もしくはその直前の動作、又は引き出した状態を検出する検出手段を設け、検出手段からの信号によって加熱調理装置の複数の加熱源の内少なくとも手前側の加熱源の出力を停止もしくは微弱とするように構成するので、収納ラック体の引き出し時や引き出した状態で、操作者が加熱源の影響を受けたり、収納物が過熱されたりするのを防止することができる。
【発明を実施するための最良の形態】
【００２３】
以下、本発明の一実施形態について図１〜図８を参照して説明する。
【００２４】
図１において、１はキッチンに配設された厨房装置で、下部には加熱調理装置２や流し台３などが並列して配設され、加熱調理装置２の上方には換気装置４が配設されるとともにその上部に収納装置５が配設され、これら換気装置４や収納装置５の側方の流し台３などの上方にはその他の各種の収納装置６が並列して配設されている。
【００２５】
換気装置４は、加熱調理装置２から流出した排気ガスや煙等を吸引する風洞を構成するカバー体に送風手段（図示せず）を内蔵して構成されており、その送風手段からの排気口４ａが上面後部に突出開口されている。
【００２６】
収納装置５は、図２、図３に示すように、収納キャビネット８と、この収納キャビネット８内に格納された位置と前方下方に引き出された使用位置との間で昇降可能な収納ラック体９と、収納ラック体９をこのように昇降可能に支持する昇降支持機構１０とから成る収納手段７と、収納手段７をキッチンの壁面Ｗとの間に離隔空間１２をあけて取り付ける離隔取付手段１１にて構成されている。なお、上記換気装置４の排気口４ａは離隔空間１２の下部に突出開口している。
【００２７】
収納キャビネット８は、前面開口のボックス状で、上端が開閉自在に支持され、かつ収納ラック体９の移動に伴って開閉する扉板８ａにてその前面開口が閉じられ、さらに扉板８ａは下端が手が入る程度に若干開いた位置まで開くように付勢され、かつ閉じた位置に押すことで閉じた位置でロックするとともにさらに押すことによりロックを解除するロック手段（図示せず）にて閉じるように構成されている。
【００２８】
また、収納キャビネット８の下面には不燃板１３が配設されるとともに、この不燃板１３の下面と換気装置４の上面との間に適当な対流空間１４が設けられている。対流空間１４の外周縁にはパンチングメタル等の通気開口を有する仕切板（図示せず）を配置されて外部と区画されている。不燃板１３を介装しなかったり、介装しても厚さが薄いと対流空間１４の高さ寸法を大きくする必要があるが、本実施形態の具体例では、不燃板１３の厚さを９ｍｍとすることで、対流空間１４の高さ寸法を１０ｍｍ程度としており、収納キャビネット８と換気装置４の間の寸法を小さくしている。
【００２９】
また、上記対流空間１４の外周縁に配設した仕切板（図示せず）にて収納手段７と換気装置４を相互に連結しており、これによって前方に張り出している換気手段４が収納手段７にて支持されるため、換気装置４の上下寸法を小さく構成しても必要な強度や剛性を確保できる。勿論、上記仕切板とは別の連結手段を設けても良く、また収納手段７と換気装置４だけでなく、離隔取付手段１１と換気装置４を連結しても同様の効果を得ることができる。
【００３０】
また、収納キャビネット８の外面の平面視形状は、図３に示すように換気装置４の平面形状とほぼ同一の隅丸形状に形成され、換気装置４と収納キャビネット８外面形状に統一性を持たせて優れた外観を呈するように構成されている。
【００３１】
収納ラック体９は、例えば両側板と複数段の網かごと前端下部のハンドル等にて構成され、収納キャビネット８の両側内面に配設された昇降支持機構１０の平行リンク１０ａにて上記のように昇降可能に支持されている。昇降支持機構１０は、平行リンク１０ａの前側リンクと後側リンクの各々の基端部を枢支しており、これらリンクの遊端部が収納ラック体９の両側面に枢着されている。平行リンク１０ａは、昇降支持機構１０内に内蔵された適宜連動機構を介してばねとダンパに連結され、収納ラック体９をその重量に関わらずゆっくりと前方下方に引き出すことができるように構成されている。
【００３２】
なお、収納手段７を構成する収納キャビネット８及び収納ラック体９及び昇降支持機構１０のほぼ全体、即ち昇降支持機構１０の樹脂軸受や収納ラック体９の前端部の操作用ハンドルや収納ラック体９の移動に伴って扉板８ａを開かせるために収納ラック体９の前部上端に設けられる樹脂ローラ等を除いて、少なくとも後部を構成する部材は全て金属製とすると、耐火性が高く、さらに収納容積を大きくできて好適である。
【００３３】
離隔取付手段１１は、図２、図３、及び図４に示すように、収納キャビネット８の取付部としての合板製の取付基板１５と、取付基板１５の両側端に前端が固定され後端が壁面Ｗに固定される一対の板金製の板状取付部材１６と、取付基板１５の後面、即ち離隔空間１２に臨む面、及び換気装置４の上面に対向する下端面に貼り付けられた不燃板１７にて構成されている。板状取付部材１６は、板金製で、四周に補強フランジ部１６ａが形成されるとともに、中央部に換気装置４の排気口４ａに接続された排気ダクト２１を左右何れの方向にでも延出できるように開口部１８が形成されている。また、取付基板１５及び不燃板１７の中央部には、排気ダクト２１やそれに付属される遮断手段などを点検するための点検口１９が形成され、点検蓋２０にて開閉自在に閉じられている。この点検蓋２０にも離隔空間１２に臨む面には不燃板１７と同様の不燃板が装着されている。
【００３４】
なお、図４の例では、収納キャビネット８の取付部を１枚の合板製の取付基板１５にて構成したが、図５に示すように、金属や木製や合成樹脂製の角材等から成る枠体２２の両側部にのみ収納キャビネット８を取付けるための取付板２３を装着固定し、かつ枠体２２の離隔空間１２に臨む面の全面に不燃板１７を配設した構成としてもよい。この場合、点検口１９は不燃板１７に形成され、かつ同様に不燃板を装着された点検蓋２０にて開閉自在に閉じられる。
【００３５】
また、図４や図５に示した例では、取付基板１５や枠体２２などの取付部を壁面Ｗに取付ける手段として板状取付部材１６を例示したが、これに限らず取付部の適当箇所から壁面Ｗに向けて延出した複数の棒状取付部材にて構成することもできる。ただし、一対の板状取付部材１６を用いると、簡単・軽量な構成で高く支持強度及び剛性が得られ、収納手段７を離隔空間１２を確保しながら壁面Ｗに強固に取付けることができる。
【００３６】
なお、収納キャビネット８の背板８ｂの中央部には点検口２４が設けられ、取付基板１５に形成された点検口１９又は取付板２３、２３間の空間及び不燃板１７に形成した点検口１９を介して離隔空間１２に連通するように構成されている。また、この点検口２４の内面にも適宜開閉自在に点検蓋（図示せず）を設けてもよい。
【００３７】
次に、収納キャビネット８を離隔取付手段１１に対して位置調整して取付けるための構成について、図６、図７を参照して説明する。収納キャビネット８の背板８ｂの上部の両側部に仮支持用の窓開口２５が形成され、離間取付手段１１の取付基板１５又は取付板２３の窓開口２５に略対応する位置に高さ調整手段２６が取付けられている。高さ調整手段２６は、離脱防止鍔２７ａを有する円板体２７から成り、その中心から偏芯した位置が取付ビス２８にて回転可能に取付基板１５又は取付板２３に取付けられ、かつ円板体２７を回転操作する回転操作溝２９が形成されている。
【００３８】
かくして、図６、図７に示すように、収納キャビネット８の背板８ｂの窓開口２５内に高さ調整部材２６が挿入されるように収納キャビネット８を設置し、窓開口２５の上縁を円板体２７の上端に係合させて収納キャビネット８を仮支持した状態にし、その状態で回転操作溝２９を利用して円板体２７の回転位置を調整することによって収納キャビネット８の高さ位置を調整することができる。また、左右の位置調整は仮支持した状態で収納キャビネット８をスライドさせて行うことができる。位置調整が終了すると、収納キャビネット８の背板８ｂに適当に設けられた取付穴に取付ビス（図示せず）を通して取付基板１５又は取付板２３にビス止めすることによって収納キャビネット８の取付が終了する。なお、高さ調整手段２６は収納キャビネット８側に設けてもよい。
【００３９】
また、収納手段７と離隔取付手段１１の両方もしくは何れか一方が、図２、図３に示すように、収納手段７と離隔取付手段１１の左右に隣接する側壁面Ｗｓや他の収納手段６に固定具３０にて固定されている。これによって左右に隣接する側壁面Ｗｓもしくは他の収納手段６が存在する場合にそれを支持体として利用して取付強度を高くすることができる。
【００４０】
また、図２に示すように、収納手段７の収納ラック体９の引き出し操作を開始した時、それに伴う平行リンク１０ａの回動を検出するリミットスイッチなどの検出手段３１が設けられている。この検出手段３１による検出信号は、図８に示すように、信号線３３にて加熱調理装置２の制御装置３４に入力されている。制御装置３４は制御バルブ３５を制御して加熱調理装置２の各加熱源２ａの出力を調整するように構成されており、さらに検出手段３１からの検出信号によって複数の加熱源２ａの内少なくとも手前側の加熱源２ａの出力を停止もしくは微弱とするように構成されている。これによって、収納ラック体９の引き出し時に操作者が加熱源の影響を受け、熱く感じて不快感を覚えたりするのを防止することができる。
【００４１】
なお、検出手段３１は、このように引き出し操作を直接検出するものではなくてもよく、反射型赤外線センサ等を用いて操作のために手を伸ばしたときに検出する等、操作の直前の動作を検出するようにしても良い。また、収納ラック体９の引き出した状態を検出するようにしても良く、その場合収納ラック体９が引き出した状態で放置されても、収納物が過熱されるのを防止することができる。
【００４２】
本実施形態の収納装置５によれば、その収納手段７が壁面Ｗとの間に離隔空間１２をあけて配設されているので、離隔空間１２にて換気装置４の排気ダクト２１の配設空間が確保され、かつ従来利用できなかった換気装置４の上部に収納手段７が配設されているので厨房装置１の収納容積を大きくでき、かつ収納手段７が換気装置４の上部の前部に位置するため収納手段７に対する収納・取り出しを容易に行うことができる。
【００４３】
また、収納手段７を、収納ラック体９を昇降支持機構１０にて収納キャビネット８内に格納した位置と前方下方に引き出した使用位置との間で昇降可能に構成しているので、換気装置４の上部に収納手段７を配設しても収納ラック体９を前方下方に引き出すことができ、使い勝手良く使用することができる。
【００４４】
また、収納手段７の底面と換気装置４の上面との間に、不燃板１３と空気の対流空間１４を介在させているので、不燃板１３を設けたことによって換気装置４の上面と収納手段７の底面との間隔を小さくすることができ、収納手段７の容積を大きくとることができるとともに収納手段７が下方に位置することによって収納・取り出しも容易でかつ外観も良くなる。
【００４５】
また、収納手段７と離隔空間１２との間にも不燃板１７を配設しているので、離隔空間１２を換気装置４の排気空間とする利用する際に、排気空間と収納手段７の間に確保すべき空間を小さくでき、その分収納手段７を後方に延出できて、収納容積を大きくできる。
【００４６】
また、離隔取付手段１１を、収納手段７とは別体に構成し、収納手段７を取付ける取付基板１５等と板状取付部材１６や棒状取付部材とから構成しているので、収納手段７の基本構成を既存のものと同一にすることができ、仕様を共通化してコスト低下を図りながら、多様な展開が可能となる。
【００４７】
また、収納手段７の内部から離隔空間１２に連通する点検口２４、１９と、取外し自在な点検蓋２０を設けているので、離隔空間１２に配設された排気ダクト２１等の点検を収納手段７を取り外すことなく、容易に行うことができる。
【００４８】
上記実施形態では、収納手段７の収納キャビネット８が直方体状のボックス形状のものを例示したが、図９に示すように、収納手段７の収納キャビネット８の離隔空間１２側の底部に斜めの切欠部３２を形成すると、その空間を換気装置４の配設空間の一部として利用することができる。すなわち、換気装置４における送風手段配設部４１などの容積の大きい部分をこの空間に配設することによって換気装置４の下部空間を大きく開放することができる。
【００４９】
また、上記実施形態では、換気装置４の上部に配設する収納装置５の収納手段７として、収納ラック体９を前方下方に引き出し可能な昇降式のものを例示したが、本発明の収納装置５はこれに限定されるものではなく、前面が扉体で開閉可能に閉じられた収納キャビネット内に１又は複数の収納棚を設けた収納手段を換気装置４の上部に配設し、離隔取付手段１１にて壁面Ｗに取付けた構成としてもよい。
【００５０】
また、この場合にも上記実施形態と同様に、収納手段７に対する作業、もしくはその直前の動作を検出する検出手段を設け、検出手段からの信号によって加熱調理装置２の複数の加熱源の内少なくとも手前側の加熱源の出力を停止もしくは微弱とするように構成すると、収納装置に対して作業を行う際に作業者が加熱源の影響を受けるのを防止することができる。
【００５１】
また、上記実施形態では、離隔取付手段１１を収納手段７とは別体にて構成したが、収納手段７から一体的に板状取付部材１６や棒状取付部材を延出してその先端を壁面Ｗに取付けるように構成してもよい。若しくは逆に、離隔取付手段１１を収納手段７ではなく、換気装置４のカバー体と一体的に構成することもできる。すなわち、換気装置４のカバー体の後部上に収納手段７の取付部と壁面Ｗに対する取付部材を一体的に連設してもよい。このように、離隔取付手段１１を換気装置４のカバー体と兼用すると、部品点数を少なくできて低コスト化を図ることができる。
【図面の簡単な説明】
【００５２】
【図１】本発明の一実施形態の収納装置を設置した厨房装置の全体正面図である。
【図２】同実施形態の収納装置の縦断側面である。
【図３】同実施形態の収納装置の平面図である。
【図４】同実施形態の離隔取付手段の斜視図である。
【図５】同実施形態の離隔取付手段の変形例の斜視図である。
【図６】同実施形態における収納キャビネットの離隔取付手段に対する取付状態を示す斜視図である。
【図７】同実施形態における収納キャビネットの高さ調整手段の縦断側面図である。
【図８】同実施形態における加熱調理装置の加熱源の制御構成を示す縦断側面図である。
【図９】本発明の収納装置の他の実施形態の縦断側面図である。
【図１０】従来例の厨房装置の全体斜視図である。
【符号の説明】
【００５３】
１  厨房装置
２  加熱調理装置
４  換気装置
５  収納装置
６  収納装置
７  収納手段
８  収納キャビネット
９  収納ラック体
１０  昇降支持機構
１１  離隔取付手段
１２  離隔空間
３１  検出手段
３４  制御装置
Ｗ  壁面
【図１】
2007236969.tif 000003
【図２】
2007236969.tif 000004
【図３】
2007236969.tif 000005
【図４】
2007236969.tif 000006
【図５】
2007236969.tif 000007
【図６】
2007236969.tif 000008
【図７】
2007236969.tif 000009
【図８】
2007236969.tif 000010
【図９】
2007236969.tif 000011
【図１０】
2007236969.tif 000012